(57)【要約】      （修正有）【課題】風船結び補助機能を有する空気入れ構造を提供する。【解決手段】風船の空気充填専用であり、筒体、ピストン、作動軸、ハンドルと空気注入口を備える。ピストンは、往復運動可能で筒体の作動空間内に設けられ、作動軸は内側がピストンに連結、外側が筒体の片側から外部に突き出して伸びており、ハンドルは、作動軸の外側に連結し、空気注入口は、筒体の作動空間と連結しているところに設けられ、空気注入口との間隔を開けたところに結び補助部位が更に増設され、該結び補助部位は、突出部と該突出部の先端にある結び用内凹縁を備える。空気注入口に嵌め込まれた風船に空気を充填完了したとき、使用者が直接に結び補助部位の突出部と結び用内凹縁をガイドの仕組みとして、風船の開口部を回して結ぶ。【選択図】図１
0003172318.tif 000002
【実用新案登録請求の範囲】
【請求項１】
風船の空気充填専用の、該風船の開口部の結びを補助する機能がある空気入れ構造であって、
筒の壁、両端部及び内部にある作動空間を備えてなる筒体と、
往復運動可能であり、前記筒体の作動空間内に設けられるピストンと、
内側が前記ピストンに連結し、外側が前記筒体の片側から外部に突き出して伸びている作動軸と、
該作動軸の外側に連結するハンドルと、
前記筒体の作動空間と連結しているところに設けられる空気注入口とを有し、
前記空気注入口は前記風船の開口部に嵌め合うように、三角錐状の突出した管体に設けられており、
前記空気注入口との間に間隔を開けて突出した形状に設けられ、突出部と該突出部の先端にある結び用内凹縁を備える、少なくとも一つの結び補助部位が備わっており、
それにより、前記空気注入口に嵌め込まれる前記風船に空気を充填完了したとき、使用者が直接に前記結び補助部位の突出部と結び用内凹縁をガイドの仕組みとして、前記風船の開口部を回して結ぶようにし、結び補助の機能と目的を達成させるように設けられていることを特徴とする結び補助機能付き空気入れ構造。
【請求項２】
前記結び補助部位の突出部と前記空気注入口を設けたところには、既有の糸が通って位置決められるための糸通し部が更に設けられ、糸の先端を、前記結び用内凹縁の片側に近接したところに伸ばすようにし、それにより、前記風船の開口部を回して結ぶとき、糸の先端を共に結びつけて、糸を、前記風船を引き止める糸とし、前記糸通し部は、内凹溝、及び該内凹溝の中間部に横向きに設けられる、一個または一個以上の位置決めリブ、からなるものであることを特徴とする請求項１に記載の結び補助機能付き空気入れ構造。
【請求項３】
前記空気注入口は、前記筒体の片側の外側に設けられ、前記筒体の作動空間と連結していることを特徴とする請求項１に記載の結び補助機能付き空気入れ構造。
【請求項４】
前記空気注入口は、前記ハンドルのところに設けられ、前記作動軸内部には、前記ハンドルと前記ピストンを連結する通気経路が設けられ、それにより、前記空気注入口が該通気経路により、前記筒体の作動空間に連結するように設けられていることを特徴とする請求項１に記載の結び補助機能付き空気入れ構造。
【請求項５】
前記結び補助部位の突出部の先端は、分岐形状に設けられ、該分岐形状の間に挟まれる部位は、前記結び用内凹縁が形成されることを特徴とする請求項１に記載の結び補助機能付き空気入れ構造。
【請求項６】
前記結び補助部位の突出部の先端部または断面全体は、内凹面に設けられ、該内凹面により、前記結び用内凹縁が形成されることを特徴とする請求項１に記載の結び補助機能付き空気入れ構造。
【考案の詳細な説明】
【技術分野】
【０００１】
本考案は、空気入れに関わり、特に、風船結び補助機能を有するオリジナルな空気入れ構造形態設計に関する。
【背景技術】
【０００２】
本考案でいう空気入れとは、タイヤに空気を充填するための空気入れではなく、広く使用されている、風船に空気を充填するための特定タイプの空気入れ構造のことをここに声明しておく。
【０００３】
従来の風船の空気充填用空気入れ構造は設計上、関連使用者がご存知のように、典型的な構造形態として、筒体が備わり、該筒体のヘッド部に、風船の開口部に嵌め合うための突き出した三角錐状の空気注入口が設けられ、筒体のテール部に突き出したハンドルが設けられ、該ハンドルは、軸桿が筒体内へ伸ばされ、該筒体内にあるピストンに連結しているが、それにより、使用者が空気を圧縮させるように、該ハンドルの押し引きを繰り返すが、圧縮された空氣が該空気注入口から流れ出て、風船に空気を充填する機能と目的を達成することになる。
【０００４】
従来の風船の空気充填用空気入れ構造は、上述した形態のほかに、該ハンドルと軸桿を筒体のヘッドに設けて、該空気注入口をハンドルのところに設けるもう一つの形態もある。
【０００５】
しかし、従来の風船の空気充填用空気入れ構造は、上述した形態のいずれかに該当した場合でも、広く使用されている経験から、依然と不十分な点が存在していることが分かり、例えば、使用者は該空気入れで、風船に空気を充填完了したとき、従来の空気入れ構造は設計上、風船の開口部の結びに関して、何も補助設計が設けられないため、使用者が風船の開口部を結ぶには、とても面倒で不便だと感じられる欠点があり、それを改善して突破する必要がある。
【０００６】
それゆえ、上述した従来の風船の空気充填用空気入れ構造に存在している問題点について、より理想的で、実用性のあるオリジナルな構造を研究開発するのは、使用者が望むことで、関連業界がそれを突破するようと考える目標と方法でもある。
【０００７】
それを鑑みて、発明者が関連製品の製造開発と設計に携わる長年の経験を持って、上述した目標について、詳しく設計して、慎重に評価したうえ、ようやく実用性のある本考案を得られたわけである。
【考案の概要】
【考案が解決しようとする課題】
【０００８】
本考案は、結び補助機能付き空気入れ構造を提供することを目的とし、解決しようとする課題は、より理想的で実用性のあるオリジナルな空気入れ構造の開発を目標として、改良して突破することである。
【課題を解決するための手段】
【０００９】
本考案の一態様としては、風船の空気充填専用の、筒体、ピストン、作動軸、ハンドルと空気注入口を備えてなる空気入れ構造であって、該ピストンは、往復運動可能で筒体の作動空間内に設けられ、該作動軸は内側がピストンに連結、外側が筒体の片側から外部に突き出して伸びており、該ハンドルは、作動軸の外側に連結し、該空気注入口は、筒体の作動空間と連結しているところに設けられる三角錐状突出した管体であり、該空気注入口との間隔を開けたところに結び補助部位が更に増設され、該結び補助部位は、突出部と該突出部の先端にある結び用内凹縁を備えてなる。このようなオリジナル設計により、本考案は背景技術に比べると、空気注入口に嵌め込まれた該風船に空気を充填完了したとき、使用者が直接に該結び補助部位の突出部と結び用内凹縁をガイドの仕組みとして、風船の開口部を回して結ぶようにし、結び補助の機能と目的を達成させ、空気入れ製品の付加価値と機能が大幅に向上する、実用性と進歩性がある。
【００１０】
本考案の他の態様では、該結び補助部位の突出部と空気注入口を設けたところには、既有の糸が通って位置決められるための糸通し部が更に増設され、該糸の先端を、該結び用内凹縁の片側に近接したところに伸ばすようにし、それにより、該風船の開口部を回して結ぶとき、該糸の先端を共に結びつけて、該糸を、風船を引き止める糸とするように設けられている。
【考案の効果】
【００１１】
本考案による効果向上の事実は次の通りである。本考案に掲示した「結び補助機能付き空気入れ構造」にあっては、該空気注入口との間隔を開けたところに、結び補助部位が更に増設されるオリジナル設計により、本考案は背景技術に比べると、空気注入口に嵌め込まれた該風船に空気を充填完了したとき、使用者が直接に該結び補助部位の突出部と結び用内凹縁をガイドの仕組みとして、風船の開口部を回して結ぶようにし、結び補助の機能と目的を達成させ、空気入れ製品の付加価値と機能が大幅に向上する、実用性と進歩性がある。
【００１２】
本考案による新しし効果は次の通りである。該結び補助部位の突出部と空気注入口を設けたところには、既有の糸が通って位置決められるための糸通し部が更に増設されており、該糸の先端を、該結び用内凹縁の片側に近接したところに伸ばすようにして、該風船の開口部を回して結ぶとき、該糸の先端を共に結びつけて、該糸を、風船を引き止める糸とする。これにより、風船の開口部を結ぶと同時に、風船を引き止める糸を結びつけられるという効果と進歩性がある。
【図面の簡単な説明】
【００１３】
【図１】本考案の構造の好適な実施例の外観を示す斜視図である。
【図２】本考案の糸通し部の拡大斜視図である。
【図３】本考案の糸通し部を糸が通ったときの平面の断面図である。
【図４】本考案の糸通し部の位置決めリブが複数設けられている実施例を示す図である。
【図５】本考案の空気入れ構造を風船の充填に応用したときの斜視図である。
【図６】本考案の結び補助部位が風船の結びを補助するときの手順を示す図である。
【図７】本考案の空気注入口をハンドルのところに設けた実施例の外観を示す斜視図である。
【図８】図７に掲示した構造形態における空気充填の動作と空気流れの経路形態の平面の断面図である。
【図９】図７に掲示した構造形態における空気充填の動作と空気流れの経路形態の平面断面図である。
【図１０】結び補助部位が模擬材として用いられる実施例の外観を示す斜視図である。
【図１１】結び補助部位が内凹面に設けられる実施例の外観を示す斜視図である。
【考案を実施するための形態】
【００１４】
図１〜図４に示すのは、本考案の結び補助機能付き空気入れ構造の好適な実施例であり、これらの実施例が説明に用いられるのみで、本考案は、これらの構造に限定されないものとする。
【００１５】
空気入れ構造Ａは、風船の空気充填専用の、風船の開口部の結びを補助する機能を有する空気入れ構造であり、図１に示すように、筒の壁１１、両端部１２と内部にある作動空間１３を備えてなる筒体１０、往復運動可能で、該筒体１０の作動空間１３内に設けられるピストン２０、内側が該ピストン２０に連結し、外側が該筒体１０の片側から外部に突き出して伸びている作動軸３０、該作動軸３０の外側に連結するハンドル４０、該筒体１０の作動空間１３と連結しているところに設けられる空気注入口５０を備える。該空気注入口５０は該風船０１の開口部０２に嵌め合うように、三角錐状の突出した管体に設けられており、該空気注入口５０との間に間隔を開けて突出した形状に設けられ、突出部６１と該突出部６１の先端にある結び用内凹縁６２を備えてなり、少なくとも一つの結び補助部位６０が備わっている。
【００１６】
図１、図２に示すように、該結び補助部位６０の突出部６１と空気注入口５０を設けたところには、既有の糸０３が通って位置決められるための糸通し部６３が更に設けられる。該糸０３の先端を、該結び用内凹縁６３１の片側に近接したところに伸ばすようにし、それにより、該風船０１の開口部０２を回して結ぶとき、該糸０３の先端を共に結びつけて、該糸０３を、風船０１を引き止める糸とするように設けられている。
【００１７】
図３、図４に示すように、内凹溝６３１、及び該内凹溝６３１の中間部に横向きに設けられる、一個または一個以上の位置決めリブ６３２、６３３からなるものである。
【００１８】
図１に示すように、該筒体１０の片側の外側に設けられ、該筒体１０の作動空間１３と連結している。
【００１９】
図７〜図９に示すように、該ハンドル４０のところに設けられ、該作動軸３０内部には、ハンドル４０とピストン２０を連結する通気経路３１が設けられ、それにより、該空気注入口５０が該通気経路３１により、筒体１０の作動空間１３に連結するように設けられている。
【００２０】
図１０に示すように、該結び補助部位６０Ｂの突出部６１Ｂ先端は、分岐形状に設けられ、該分岐形状の間に挟まれる部位は、該結び用内凹縁６２Ｂが形成され、該突出部６１Ｂまたはその断面は、簡単な幾何形状を模擬したように設けられるが、模擬した形状は、イルカ、馬、鳥または象などの頭部に設けられてもよい。
【００２１】
図１１に示すように、該結び補助部位６０Ｃの突出部６１Ｃ先端または断面全体は、内凹面に設けられ、該内凹面により、該結び用内凹縁６２Ｃが形成されている。
【００２２】
上述した構造、組立設計により、本考案の使用・作動状況について次のように説明する。
【００２３】
図５に示すように、図１に掲示した実施例の構造形態から言えば、風船０１に空気を充填するとき、まず、風船０１の開口部０２を該空気注入口５０に嵌め込むと同時に、風船を引き止める糸的糸０３をも、先に、該等糸通し部６３を通らせ、糸０３の先端を結び用内凹縁６２の片側に近接したところに伸ばすようにしておくが、それから、使用者は該ハンドル４０を押し引いて空気を入れるが、風船０１に空気を充填完了したとき、図６に示すように、使用者が該結び補助部位６０の突出部６１と結び用内凹縁６２をガイドの仕組みとして、風船０１の開口部０２を回して結ぶようにするが、該風船０１の開口部０２を突出部６１沿いに一回り回したあと、該結び用内凹縁６２（矢印Ｌ１）を通らせ、最後の結びをつけるとき、該糸０３の先端を共に結びつけて、それと同時に風船０１を引き止める糸とすることが完成できる。
【００２４】
空気注入口５０に嵌め込まれた風船０１に空気を充填完了したとき、使用者が直接に該結び補助部位の突出部と結び用内凹縁をガイドの仕組みとして、風船の開口部を回して結ぶようにし、結び補助の機能と目的を達成させることができる。
【００２５】
本考案の実施例をこれまでに説明してきたが、本考案に対して種々の変更、改善及び置換を行なうことができることは当業者には理解することができ、これらの変更、改善及び置換は全て、添付の実用新案登録請求の範囲によって規定される本考案の範囲内に入る。
【符号の説明】
【００２６】
Ａ      空気入れ構造
０１      風船
０２      開口部
０３      糸
１０    筒体
１１    筒の壁
１２    端部
１３    作動空間
２０    ピストン
３０    作動軸
３１    通気経路
４０    ハンドル
５０    空気注入口
６０、６０Ｂ、６０Ｃ  結び補助部位
６１、６１Ｂ、６１Ｃ  突出部
６２、６２Ｂ、６２Ｃ  結び用内凹縁
６３    糸通し部
６３１  内凹溝
６３２、６３３  位置決めリブ
【図１】
0003172318.tif 000003
【図２】
0003172318.tif 000004
【図３】
0003172318.tif 000005
【図４】
0003172318.tif 000006
【図５】
0003172318.tif 000007
【図６】
0003172318.tif 000008
【図７】
0003172318.tif 000009
【図８】
0003172318.tif 000010
【図９】
0003172318.tif 000011
【図１０】
0003172318.tif 000012
【図１１】
0003172318.tif 000013